(57)【要約】【課題】従来、広く使用されている風力発電装置は大きなプロペラを風力で直接回転する方式であるため、或る程度規模が大きく、また風も強くないと有効に発電できない課題があり、よって、街灯、広告塔等の照明用やモーターの電源用等の比較的小規模な発電用として、構成簡単で安価な風力発電装置を提供出来なかった。【解決手段】円板２の円周部間にガイド板３を放射状に樹立固定して、中央に空間４を有する風受ドラム１を設け、回転軸６の円周に放射状に回転羽根７を固設したドラム形風車５を、風受ドラム１の空間４内に挿入し軸受７で軸支すると共に、該回転軸６の回転を発電装置１０の回転軸９に伝達するように備えた風力発電装置によって課題を解決した。【選択図】図２
2005054695.tif 000002
【特許請求の範囲】
【請求項１】
間隔をおいて相対した円板若しくは円形枠の円周部間に狭長板状のガイド板を、円板若しくは円形枠の中心を中心として放射状に等角度毎に樹立固定して、中央に円筒形の空間を有する風受ドラムを設け、
回転軸の円周の、該回転軸の中心を中心として放射状に等角度毎に回転羽根を固設して設けたドラム形風車を、風受ドラムの円筒形の空間内に挿入し、その回転軸の上下を軸受で軸支すると共に、該回転軸の回転を発電装置の回転軸に伝達するように備えたものであり、
風受ドラムの円周の任意方向から吹付ける風をガイド板間に導入し、該ガイド板の案内で風受ドラムの中心に対して設定角度方向の風に変換整流して、ドラム形風車の回転羽根に対し該角度方向の風として吹き付けて、その風力でドラム形風車を一定方向に回転し、その回転軸の回転を発電装置の回転軸に伝達して発電するように備えたことを特徴とする、
風力発電装置。
【請求項２】
風受ドラムは、間隔をおいて相対した円板若しくは円形枠間の円周部間に狭長板状のガイド板を等間隔毎に放射状に樹立固定して中空ドラム状に設けたものであり、
各ガイド板は円板若しくは円形枠の中心を中心として放射状に等角度毎に固定すると共に、各ガイド板の内端部を設定角度曲げて若しくはずらして固定したものであって、その曲げ若しくはずらした角度方向により風受ドラムの円周の任意方向から吹付けガイド板間に導入された風をガイド板を設定角度曲げた若しくはずらした方向、即ち目的方向へ変換整流された風として、ガイド板の内端部間からドラム形風車の回転羽根に向けて噴気するように備えたことを特徴とする、
請求項１の風力発電装置。
【請求項３】
風受ドラムの各ガイド板間の間隔は、該ガイド板が円板若しくは円形枠の中心を中心として放射状に固定されているため、円板若しくは円形枠の円周部で広く、内端部で狭く形成されており、よって、広い円周部から導入した風を狭い内端部で絞ってからドラム形風車に向かい加速して吹付けるように備えたことを特徴とする。
請求項１の風力発電装置。
【請求項４】
ドラム形風車は、回転軸を中心として放射状に平板状、波板状、腕状、箱状、その他任意形状の回転羽根若しくは回転翼を固設し、形状を風受ドラムの中央の空間内に挿入設置できるドラム状に形成したものである、
請求項１の風力発電装置。
【請求項５】
風受ドラム内にドラム形風車を備えたものを１ユニットとして、同回転軸線上に複数ユニットを積重ね設置したことを特徴とする、
請求項１の風力発電装置。
【請求項６】
１個の風受ドラム内に２個以上のドラム形風車を回転軸上に積重ね設置したことを特徴とする、
請求項１の風力発電装置。
【請求項７】
風受ドラムのガイド板にソーラーパネルを取付けたことを特徴とする、
請求項１の風力発電装置。
【発明の詳細な説明】
【技術分野】
【０００１】
風受ドラム内にドラム形風車を備えて成る風力発電装置に係り、風受ドラムの円周の任意方向から吹付ける風でドラム形風車を一定方向に回転し、その回転軸の回転を発電装置の回転軸に伝達して発電するように備えた極めて簡単な構成の風力発電装置に関するものである。
【背景技術】
【０００２】
従来、広く使用されている風力発電装置は主として大きなプロペラを風力エネルギーで直接回転する方式であるため、広い、設置スペースを要し、プロペラ回転で危険のない設置場所を選ばねばならず、また風向に合わせてプロペラの向きを変えるスペース的必要があり、その結果、或る程度規模が大きく、また風も強くないと有効に発電できない課題があった。即ち、街灯、広告塔、看板等の照明やモーターの動力等の比較的小規模な発電用として不向きであった。
【発明の開示】
【発明が解決しようとする課題】
【０００３】
解決しようとする課題は、街灯、広告塔等の照明用やモーターの電源用等の比較的小規模な発電用として、構成簡単で安価な風力発電装置を提供出来なかった点にある。
【課題を解決するための手段】
【０００４】
本発明は、間隔をおいて相対した円板若しくは円形枠の円周部間に狭長板状のガイド板を、円板若しくは円形枠の中心を中心とした放射状に等角度毎に樹立固定して、中央に円筒形の空間を有する風受ドラムを設け、
【０００５】
回転軸の円周の、該回転軸の中心を中心とした放射状に等角度毎に回転羽根を固設して設けたドラム形風車を、風受ドラムの円筒形の空間内に挿入し、その回転軸の上下を軸受で軸支すると共に、該回転軸の回転を発電装置の回転軸に伝達するように備えたものであり、
【０００６】
風受ドラムの円周の任意方向から吹付ける風をガイド板間に導入し、該ガイド板の案内で風受ドラムの中心に対して設定角度方向の風に変換整流して、ドラム形風車の回転羽根に対し該角度方向の風として吹き付けて、その風力でドラム形風車を一定方向に回転し、その回転軸の回転を発電装置の回転軸に伝達して発電するように備えたことを特徴とする、風力発電装置によって課題を解決した。
【発明の効果】
【０００７】
本発明風力発電装置は、風受ドラムの３６０°全円周方向及び斜上下方向等から吹付ける風を全てガイド板間に導入し、該風をガイド板の作用でドラム形風車に吹付けて回転し、その回転を発電装置の回転軸に伝達して発電できる優れた特徴がある。従って、どの方向から吹く風も全て有効に利用できる特徴がある。
【０００８】
屋上、屋根の上、庭先、路上等や、山中、海岸等、何処にでも簡単に設置して、種々の電気機器の電源として使用することができる。
【０００９】
外周が固定式の風向ドラム（回転しない）なので、子供等が触っても安全である。
【００１０】
複数ユニットを積重ねて備えたユニット式風力発電装置は、各ユニットのドラム形風車を小形に設けることができるため、小さな風力でも回転できる利点がある。
【００１１】
風受ドラムの各ガイド板に太陽光線発電用のソーラーパネルを貼付設置すれば、風力及び、太陽光の発電を相乗的に行い得ると共に、風の無い時、曇った日や夜間等の発電を相互に補い得る利点がある。
【００１２】
ガイド板間に吹き込み導入された風は広い円周部から狭い内端部へ向かって次第に絞り込まれたのち、内端部から一気に解放されて噴気するため、風速を加速してドラム形風車の回転羽根に衝突することができる作用効果がある。
【００１３】
蓄電装置（バッテリー）を併設すれば、充電した余剰電力を蓄電しておくことができる。
【発明を実施するための最良の形態】
【００１４】
風受ドラム内にドラム形風車を備えるだけで、その風受ドラムの円周の任意方向から吹付ける風でドラム形風車を一定方向に回転し、その回転軸の回転を発電装置の回転軸に伝達して発電するようにしたことを特徴とする、極めてコンパクトな風力発電装置を実現した。
【実施例１】
【００１５】
図１は図２のＡ−Ａ線矢視断面図で、本発明実施例装置の縦断正面図、図２は図１のＢ−Ｂ線矢視断面図である。
【００１６】
以下、図１、図２を参照。
間隔をおいて相対した円板２の円周部間に狭長板状のガイド板３を、円板２の中心を中心として放射状に等角度毎に樹立固定して、中央に円筒形の空間４を有する風受ドラム１を設け、
【００１７】
回転軸６の円周の、該回転軸６の中心を中心として放射状に等角度毎に回転羽根７を固設して設けたドラム形風車５を、風受ドラム１の円筒形の空間４内に挿入し、その回転軸６の上下を軸受７で軸支すると共に、該回転軸６の回転を発電装置１０の回転軸９に伝達するように備えたものであり、
【００１８】
風受ドラム１の円周の任意方向から吹付ける風１１をガイド板３間に導入し、該ガイド板３の案内で風受ドラム１の中心に対して設定角度方向の風１１に変換整流して、ドラム形風車５の回転羽根７に対し該角度方向の風１１として吹き付けて、その風力でドラム形風車５を一定方向に回転し、その回転軸６の回転を発電装置１０の回転軸９に伝達して発電するように備えた風力発電装置である。
【００１９】
上記において、風受ドラム１は、間隔をおいて相対した円板２間の円周部間に狭長板状のガイド板３を等間隔毎に放射状に樹立固定して中空ドラム状に設けたものであり、
【００２０】
各ガイド板３は円板２の中心を中心として放射状に等角度毎に固定すると共に、各ガイド板３の内端部１２を設定角度曲げて固定したものであって、その曲げ角度方向により風受ドラム１の円周の任意方向から吹付けガイド板３間に導入された風１１をガイド板３を設定角度曲げた方向、即ち目的方向へ変換整流された一定方向の風１１として、ガイド板３の内端部１２間からドラム形風車５の回転羽根７に向けて噴気するように備えたものである。
【００２１】
風受ドラム１の各ガイド板３間の間隔は、該ガイド板３が円板２若しくは円形枠の中心を中心として放射状に固定されているため、円板２若しくは円形枠の円周部で広く、内端部１２で狭く形成されており、よって、広い円周部から導入した風１１を狭い内端部１２で絞ってからドラム形風車５に向かい加速して吹付けるように備えられているものである。
【００２２】
ドラム形風車５は、回転軸６を中心として放射状に平板状(図示例)、波板状、腕状、箱状、その他任意形状の回転羽根７若しくは回転翼を固設し、形状を風受ドラム１の中央の空間４内に挿入設置できるドラム状に形成したものである。
【実施例２】
【００２３】
図３は、風受ドラム１とドラム形風車５からなるユニット１３を３個積重ねた実施例装置の正面図である。
【００２４】
複数ユニット１３を積重ねて備えたユニット式風力発電装置は、各ユニット１３のドラム形風車５を小形に設けることができるため、小さな風力でも回転できる特徴がある
【実施例３】
【００２５】
図示を省略するが、長寸に形成した１個の風受ドラム内に、短寸に形成した２個以上のドラム形風車を同回転軸線上に積重ね設置したことを特徴とする、風力発電装置を提供する。
【実施例４】
【００２６】
図示を省略するが、風受ドラムの各ガイド板の表面にソーラーパネル(太陽光発電用パネル)を取付けたことを特徴とする、風力発電装置を提供する。
【産業上の利用可能性】
【００２７】
屋上、屋根の上、庭先、路上等や、山中、海岸等、何処にでも簡単に設置して種々の電気機器の電源として使用することができる、比較的小規模な発電用の、構成簡単で安価な風力発電装置として広く普及することができる。
【図面の簡単な説明】
【００２８】
【図１】図２のＡ−Ａ線矢視断面図で、本発明実施例装置の縦断正面図。
【図２】図１のＢ−Ｂ線矢視断面図。
【図３】ユニットを３個積重ねた実施例装置の正面図。
【符号の説明】
【００２９】
１    風受ドラム
２    円板
３    ガイド板
４    空間
５    ドラム形風車
６    回転軸
７    回転羽根
８    軸受
９    回転軸(発電装置)
１０  発電装置
１１  風
１２  内端部
１３  ユニット
【図１】
2005054695.tif 000003
【図２】
2005054695.tif 000004
【図３】
2005054695.tif 000005